(57)【要約】【課題】利便性に優れた駆動装置及び昇降式物干しを提供する。【解決手段】操作プーリー５０の回転運動をアウトプットカップリング２２に伝達し、巻取りプーリー３２の回転運動がアウトプットカップリング２２を介して操作プーリー５０に伝達することを遮断する逆入力ロッククラッチ２０と、アウトプットカップリング２２及び巻取りプーリー３２を接続し、アウトプットカップリング２２が降下方向に回転すると巻取りプーリー３２を逆入力ロッククラッチ２０から切り離し、アウトプットカップリング２２が上昇方向に回転すると操作プーリー５０の回転駆動力を巻取りプーリー３２に伝達させる伝達機構３０と、を備えている駆動装置１０。【選択図】図４
2020041620.tif 000002
【特許請求の範囲】
【請求項１】
入力部材の回転運動に伴って出力部材を駆動させる駆動装置であって、
前記入力部材の回転運動を出力部に伝達し、前記出力部材の回転運動が前記出力部を介して前記入力部材に伝達することを遮断する逆入力ロッククラッチと、
前記逆入力ロッククラッチの出力部及び前記出力部材を接続し、前記出力部が一方向に回転すると前記出力部材を前記逆入力ロッククラッチから切り離し、前記出力部が他方向に回転すると前記回転運動の回転駆動力を前記出力部材に伝達させる伝達機構と、
を備えていることを特徴とする駆動装置。
【請求項２】
前記伝達機構は、
前記出力部に接続されて前記出力部とともに回転する出力シャフトと、
前記出力シャフトに一方端が嵌着されるとともに前記出力部材に他方端が嵌着され、前記出力シャフトが一方向に回転すると弛緩して前記出力部材を出力シャフトから切り離し、前記出力シャフトが他方向に回転すると締着して前記出力部材と出力シャフトとを連結するトーションスプリングと、
を備えていることを特徴とする請求項１記載の駆動装置。
【請求項３】
前記出力部材は、円筒状に形成され、前記トーションスプリングを内部に収容することを特徴とする請求項２記載の駆動装置。
【請求項４】
前記逆入力ロッククラッチ及び前記伝達機構を内部に収容する一対の分割カバーをさらに備えていることを特徴とする請求項１から３の何れか１項記載の駆動装置。
【請求項５】
請求項１から４の何れか１項記載の駆動装置を備えていることを特徴とする昇降式物干し。
【請求項６】
前記出力部材は、物干し竿を支持する紐状部材が外周に巻回された巻取プーリーであることを特徴とする請求項５記載の昇降式物干し。
【請求項７】
前記入力部材は、操作紐が外周に巻回された操作プーリーであることを特徴とする請求項５又は６記載の昇降式物干し。 
【発明の詳細な説明】
【技術分野】
【０００１】
本発明は、駆動装置及びこの駆動装置を用いた昇降式物干しに関するものである。
【背景技術】
【０００２】
一般的に、ユーザが操作紐を引く方向に応じて物干し竿を昇降可能で且つ物干し竿を任意の高さに維持できる昇降式物干しが知られている。このような昇降式物干しでは、操作紐に接続された入力部材の回転運動に伴って、物干し竿を吊り下げる吊り下げ紐を外周に巻回した出力部材を回転させる機構が必要である。このような機構としては、例えば特許文献１に示すような逆入力ロッククラッチを用いることが考えられる。
【０００３】
特許文献１に記載された逆入力ロッククラッチは、入力部材と出力部材とが第１の弾性部材を介して接続されており、第１の弾性部材が弛緩することで、入力部材に入力される回転駆動力が出力部材に伝達され、第１の弾性部材が締着することで、出力部材に入力される回転駆動力が入力部材に伝達されることを阻止するものである。
【先行技術文献】
【特許文献】
【０００４】
【特許文献１】特開２０１７−２２３３４５号公報
【発明の概要】
【発明が解決しようとする課題】
【０００５】
しかしながら、上述した逆入力ロッククラッチを適用した昇降式物干しでは、吊り下げ紐が出力部材から全て巻き出されて物干し竿が最下点まで達した後に、出力部材がさらに回転し続けると、吊り下げ紐が逆向きに巻き戻されて物干し竿が上昇する、すなわち、操作紐を一方向に引き続けると最下点の前後で物干し竿の降下と上昇が切り換わってしまい利便性が悪いという問題があった。
【０００６】
そこで、利便性に優れた駆動装置及び昇降式物干しを提供するために解決すべき技術的課題が生じてくるのであり、本発明はこの課題を解決することを目的とする。
【課題を解決するための手段】
【０００７】
上記課題を達成するために、本発明に係る駆動装置は、入力部材の回転運動に伴って出力部材を駆動させる駆動装置であって、前記入力部材の回転運動を出力部に伝達し、前記出力部材の回転運動が前記出力部を介して前記入力部材に伝達することを遮断する逆入力ロッククラッチと、前記逆入力ロッククラッチの出力部及び前記出力部材を接続し、前記入力部材が一方向に回転すると前記出力部材を前記逆入力ロッククラッチから切り離し、前記入力部材が他方向に回転すると前記回転運動の回転駆動力を前記出力部材に伝達させる伝達機構と、を備えている。
【０００８】
この構成によれば、逆入力ロッククラッチは、入力部材の回転運動を出力部に伝達し、且つ出力部を介して出力部材の回転運動が入力部材に伝達することを遮断し、また、伝達機構が、出力部の回転方向に応じて出力部及び出力部材の接続又は切り離しを切換可能であることにより、出力部材が入力部材に対してフリーで回転可能なため、ユーザが意図するように出力部材を操作することができる。
【０００９】
また、本発明に係る駆動装置は、前記伝達機構は、前記出力部に接続されて前記出力部とともに回転する出力シャフトと、前記出力シャフトに一方端が嵌着されるとともに前記出力部材に他方端が嵌着され、前記出力シャフトが一方向に回転すると弛緩して前記出力部材を出力シャフトから切り離し、前記出力シャフトが他方向に回転すると締着して前記出力部材と出力シャフトとを連結するトーションスプリングと、を備えていることが好ましい。
【００１０】
この構成によれば、出力部とともに回転する出力シャフトの回転方向に応じたトーションスプリングの弛緩又は締着によって、トーションスプリングが弛緩した場合には、出力部材が入力部材に対してフリーで回転可能であり、トーションスプリングが締着した場合には、出力部材が入力部材と一体になって回転するため、ユーザが意図するように出力部材を操作することができる。
【００１１】
また、本発明に係る駆動装置は、前記出力部材は、円筒状に形成され、前記トーションスプリングを内部に収容することが好ましい。
【００１２】
この構成によれば、トーションスプリングが円筒状の出力部材内に収容されていることにより、トーションスプリングの径方向への動きが規制されるため、駆動装置を安定して駆動することができる。
【００１３】
また、本発明に係る駆動装置は、前記逆入力ロッククラッチ及び前記伝達機構を内部に収容する一対の分割カバーをさらに備えていることが好ましい。
【００１４】
この構成によれば、駆動装置が分割カバー内に収容されていることにより、駆動装置内に異物が混入する等の外乱が排除されるため、駆動装置を安定して駆動することができる。
【００１５】
上記課題を達成するために、本発明に係る昇降式物干しは、以上のような駆動装置を備えている。
【００１６】
この構成によれば、入力部材の回転運動を出力部に伝達し、且つ出力部の回転運動を入力部材に伝達することを遮断し、また、伝達機構が、出力部の回転方向に応じて出力部及び出力部材の接続又は切り離しを切換可能であることにより、ユーザが意図するように出力部材の回転に連動して物干し竿を昇降させることができる。
【００１７】
また、本発明に係る昇降式物干しは、前記出力部材は、物干し竿を支持する紐状部材が外周に巻回された巻取プーリーであることが好ましい。
【００１８】
この構成によれば、巻取プーリーが逆入力ロッククラッチに対してフリーで回転可能な場合には、物干し竿の自重で巻取プーリーが紐状部材を引き出す向きに回転することにより、物干し竿を降下させることができ、また、紐状部材が全て巻き出された後に巻取プーリーが紐状部材を巻き取るように回転しても、物干し竿の自重で巻取プーリーが引き出す向きに回転することにより、物干し竿を最下点に戻すことができる。
【００１９】
また、本発明に係る昇降式物干しは、前記入力部材は、操作紐が外周に巻回された操作プーリーであることが好ましい。
【００２０】
この構成によれば、物干し竿の上昇・降下に対応して予め設定された出力部材の回転方向に一致するように、ユーザの操作紐を介した入力操作に基づいて操作プーリーが回転することにより、ユーザが意図するように出力部材を操作することができる。
【発明の効果】
【００２１】
本発明によれば、逆入力ロッククラッチは、入力部材の回転運動を出力部に伝達し、且つ出力部を介して出力部材の回転運動が入力部材に伝達することを遮断し、また、伝達機構が、出力部の回転方向に応じて出力部及び出力部材の接続又は切り離しを切換可能であることにより、出力部材が入力部材に対してフリーで回転可能なため、ユーザが意図するように出力部材を操作することができる。
【図面の簡単な説明】
【００２２】
【図１】本発明の一実施形態に係る昇降式物干しを示す正面図。
【図２】本発明の一実施形態に係る駆動装置を入力側から視た分解図。
【図３】本発明の一実施形態に係る駆動装置を出力側から視た分解図。
【図４】駆動装置を示す縦断面図。
【図５】逆入力ロッククラッチを入力側から視た分解図。
【図６】逆入力ロッククラッチを出力側から視た分解図。
【図７】出力シャフトを示す斜視図。
【図８】巻取プーリーを示す斜視図。
【図９】伝達機構のハウジングを示す斜視図。
【図１０】操作プーリーを示す斜視図。
【図１１】物干しが昇降する様子を示す模式図。
【発明を実施するための形態】
【００２３】
本発明の実施形態について図面に基づいて説明する。なお、以下では、構成要素の数、数値、量、範囲等に言及する場合、特に明示した場合及び原理的に明らかに特定の数に限定される場合を除き、その特定の数に限定されるものではなく、特定の数以上でも以下でも構わない。
【００２４】
また、構成要素等の形状、位置関係に言及するときは、特に明示した場合及び原理的に明らかにそうでないと考えられる場合等を除き、実質的にその形状等に近似又は類似するもの等を含む。
【００２５】
また、図面は、特徴を分かり易くするために特徴的な部分を拡大する等して誇張する場合があり、構成要素の寸法比率等が実際と同じであるとは限らない。また、断面図では、構成要素の断面構造を分かり易くするために、一部の構成要素のハッチングを省略することがある。
【００２６】
なお、本実施形態において、上下や左右等の方向を示す表現は、絶対的なものではなく、各構成要素が図面に描かれている姿勢である場合に適切であるが、その姿勢が変化した場合には姿勢の変化に応じて変更して解釈されるべきものである。
【００２７】
図１は、昇降式物干し１を示す正面図である。昇降式物干し１は、梁、壁又は天井等に固定される基部２の端部から垂れ下がった吊り下げ紐３が、物干し竿４を水平に支持している。基部２の一方端には、後述する駆動装置１０が設けられている。ユーザが操作紐５を引き出すことによって駆動装置１０に入力された回転運動が吊り下げ紐３に伝達されて物干し竿４が昇降するように構成されている。
【００２８】
次に、駆動装置１０の構造について説明する。図２は、駆動装置１０を入力側から視た分解図である。図３は、駆動装置１０を出力側から視た分解図である。図４は、駆動装置１０の縦断面図である。なお、以下では、駆動装置１０の構成を説明するにあたり、図１の紙面直交方向（軸方向Ａ）において、図１の紙面に対して上方を「入力側」と称し、下方を「出力側」と称す。
【００２９】
駆動装置１０は、逆入力ロッククラッチ２０と、伝達機構３０と、を備えている。
【００３０】
図５は、逆入力ロッククラッチ２０を入力側から視た分解図であり、図６は、逆入力ロッククラッチ２０を出力側から視た分解図である。逆入力ロッククラッチ２０は、インプットカップリング２１と、アウトプットカップリング２２と、第１のトーションスプリング２３と、クラッチハウジング２４と、を備えている。インプットカップリング２１、アウトプットカップリング２２、第１のトーションスプリング２３及びクラッチハウジング２４は、逆入力ロッククラッチ２０内の入力側から出力側に向かってこの順で配置されている。
【００３１】
インプットカップリング２１は、略円板状に形成されている。インプットカップリング２１の入力側の面には、多角形状の凸部２１ａが設けられている。なお、図中では凸部２１ａは、軸方向Ａから視て小判型に形成されているが、凸部２１ａの形状はこれに限定されるものではない。
【００３２】
インプットカップリング２１の出力側の面には、レバー部２１ｂが立設されている。レバー部２１ｂは、先端側に比べて基端側が幅広に形成されている。これにより、後述するようにレバー部２１ｂが第１のトーションスプリング２３に当接した際の衝撃でレバー部２１ｂが折損することを抑制できる。
【００３３】
アウトプットカップリング２２は、略円筒状に形成されている。アウトプットカップリング２２の中央には、多角形状の係合孔２２ａが形成されている。アウトプットカップリング２２の出力側の面の周縁には、周方向Ｃにおいて一部が切り欠かれた第１の壁部２２ｂが立設されている。なお、図中では係合孔２２ａは、軸方向Ａから視て小判型に形成されているが、係合孔２２ａの形状はこれに限定されるものではない。
【００３４】
第１のトーションスプリング２３は、コイル状に形成されている。第１のトーションスプリング２３の両端に設けられた爪状の係止部２３ａ、２３ｂは、第１の壁部２２ｂの周方向Ｃの端部にそれぞれ係止されている。具体的には、係止部２３ａは、第１の壁部２２ｂの平滑な端部に係止されており、係止部２３ｂは、第１の壁部２２ｂの端部に形成された被係止部２２ｃに係止されている。
【００３５】
クラッチハウジング２４は、インプットカップリング２１、アウトプットカップリング２２及び第１のトーションスプリング２３を収容する。
【００３６】
具体的には、アウトプットカップリング２２に第１のトーションスプリング２３を組み付けた状態で、クラッチハウジング２４の中央に設けられたボス部２４ａに第１のトーションスプリング２３を嵌着し、第１のトーションスプリング２３とクラッチハウジング２４との間にアウトプットカップリング２２を収容している。また、インプットカップリング２１は、レバー部２１ｂが第１の壁部２２ｂの切り欠きに対応するように、アウトプットカップリング２２の入力側に隣接して配置されている。なお、符号２５は、クラッチハウジング２４に係合するカバーである。
【００３７】
伝達機構３０は、出力シャフト３１と、巻取りプーリー３２と、第２のトーションスプリング３３と、ハウジング３４と、を備えている。
【００３８】
図７は、出力シャフト３１を示す斜視図である。出力シャフト３１は、略円柱状に形成されている。出力シャフト３１は、フランジ部３１ａを挟んで出力側に嵌着部３１ｂが設けられ、入力側に係合部３１ｃが設けられている。嵌着部３１ｂの断面は円状に形成されている一方、係合部３１ｃの断面は係合孔２２ａに対応する形状に形成されている。これにより、出力シャフト３１は、アウトプットカップリング２２と一体で回転可能である。
【００３９】
図８は、巻取りプーリー３２を示す斜視図である。巻取りプーリー３２は、外周壁部３２ａと、内周壁部３２ｂと、を備えた二重円筒状に構成されている。外周壁部３２ａ及び内周壁部３２ｂは、第１の底部３２ｃを介して接続されている。巻取りプーリー３２の外周には、吊り下げ紐３が巻回されている。
【００４０】
第２のトーションスプリング３３は、コイル状に形成されている。第２のトーションスプリング３３の一方端は、内周壁部３２ｂの外周に嵌着され、他方端は、嵌着部３１ｂの外周に嵌着されている。
【００４１】
第２のトーションスプリング３３の両端が、フランジ部３１ａ及び第１の底部３２ｃで挟まれることにより、軸方向Ａへの第２のトーションスプリング３３の動きが規制されている。
【００４２】
また、第２のトーションスプリング３３が、外周壁部３２ａ内に収容されていることから、軸方向Ａに対して垂直な径方向への第２のトーションスプリング３３の動きが規制されている。
【００４３】
図９は、ハウジング３４を示す斜視図である。ハウジング３４には、第２の底部３４ａを挟んだ入力側にクラッチ収容部３４ｂが設けられ、出力側にプーリー収容部３４ｃが設けられている。クラッチ収容部３４ｂとプーリー収容部３４ｃとは、段付き孔３４ｄを介して連通されている。
【００４４】
出力シャフト３１は、段付き孔３４ｄに挿通されている。具体的には、ハウジング３４の出力側から挿通された出力シャフト３１は、フランジ部３１ａが段付き孔３４ｄの段部３４ｅに接触しつつ、係合部３１ｃが段付き孔３４ｄを貫通するようにして、ハウジング３４の入力側に突出している。プーリー収容部３４ｃには、吊り下げ紐３を通す取出口３４ｆが設けられている。
【００４５】
クラッチハウジング２４のキリ孔２４ｂにボルトＢ１を挿通した状態で、ネジ孔３４ｇにボルトＢ１を締着することにより、クラッチ収容部３４ｂ内に逆入力ロッククラッチ２０を固定することができる。
【００４６】
駆動装置１０は、カバー４０内に収容されている。カバー４０は、スリーブ４１を介して基部２に固着されている。カバー４０は、駆動装置１０の入力側に設けられた入力側カバー片４２と、駆動装置１０の出力側に設けられた出力側カバー片４３と、を備えている。スリーブ４１及び基部２は、何れも中空であって内部に吊り下げ紐３を収容する。
【００４７】
入力側カバー片４２のスリーブ４１を除く本体部分は、入力側の端部にフランジが設けられた略円筒状に形成されている。フランジである側板４２ａの中央には、挿通孔４２ｂが設けられている。挿通孔４２ｂには、スペーサ４４を介して後述する操作プーリー５０が挿通される。
【００４８】
出力側カバー片４３のスリーブ４１を除く本体部分は、円筒状に形成されている。ボルトＢ２が、出力側カバー片４３を貫通した状態でハウジング３４のネジ孔３４ｈに挿通されることにより、ハウジング３４が出力側カバー片４３に固定されている。
【００４９】
なお、符号４３ｂは、出力側カバー片４３の中央を塞ぐ出力側端部カバー片であり、ボルトＢ３は、出力側端部カバー片４３ｂ及び出力側カバー片４３を貫通し、ハウジング３４の出力端を径方向において位置決め固定している。
【００５０】
インプットカップリング２１の入力側には、操作プーリー５０が連結されている。図１０に示すように、操作プーリー５０は、略円板状に形成されている。操作プーリー５０の外周面には、規制部５１が立設されており、操作プーリー５０の外周に巻回された操作紐５が操作プーリー５０の外周面から脱落することを抑制する。
【００５１】
操作プーリー５０の中央には、凸部２１ａに対応した形状の凹部５２が設けられている。凸部２１ａが凹部５２に挿通されることにより、操作プーリー５０の回転に応じてインプットカップリング２１も回転するように構成されている。
【００５２】
操作プーリー５０の入力側には、入力側端部カバー片５３が設けられている。入力側端部カバー片５３は、操作プーリー５０を収容した状態で入力側カバー片４２の側面にボルトＢ４で固定されている。
【００５３】
入力側端部カバー片５３の周縁には、周方向Ｃにおいて一部が切り欠かれた第２の壁部５４が立設されている。操作プーリー５０の外周に巻回された操作紐５は、第２の壁部５４の切り欠き部分を通って外部に垂れ下がるように引き出されている。
【００５４】
次に、駆動装置１０を用いた昇降式物干し１の作用について説明する。まずは、物干し竿４を巻き降ろす場合について説明する。
【００５５】
予め設定された物干し竿４の降下に対応した引き出し方向にユーザが操作紐５を引き出すと、操作プーリー５０及びインプットカップリング２１が降下方向（図２では、軸方向Ａの入力側から視て反時計回り）に回転する。
【００５６】
インプットカップリング２１が降下方向に回転すると、レバー部２１ｂの外周端が第１のトーションスプリング２３の係止部２３ｂに当接して第１のトーションスプリング２３を弛緩させながらアウトプットカップリング２２を降下方向に回転させる。
【００５７】
アウトプットカップリング２２が降下方向に回転すると、出力シャフト３１が連動して回転して、端部が出力シャフト３１に嵌着された第２のトーションスプリング３３は弛緩することにより、巻取りプーリー３２はフリーで回転可能となる。
【００５８】
そして、図１１（ａ）、（ｂ）に示すように、吊り下げ紐３が物干し竿４の自重で巻き出されるようにして、第２のトーションスプリング３３が弛緩した分だけ巻取りプーリー３２が降下方向に回転する。すなわち、操作紐５を介した降下操作に応じて、物干し竿４を所望の位置まで降下させることができる。
【００５９】
また、図１１（ｃ）に示すように、吊り下げ紐３が全て巻き出された状態（物干し竿４の最下点）まで達した後に、図１１（ｄ）に示すように、さらに操作プーリー５０が降下方向に回転すると、巻取りプーリー３２が物干し竿４を上昇させるように回転しようとするところ、図１１（ｅ）に示すように、フリーで回転可能な巻取りプーリー３２は物干し竿４の自重で降下方向とは逆向きに回転するため、物干し竿４は最下点に戻るようになっている。
【００６０】
なお、巻取りプーリー３２が物干し竿４の自重で付勢されて降下方向に過度に回転しようとする場合には、出力シャフト３１と連動して回転するアウトプットカップリング２２が、第１のトーションスプリング２３を締め付けることにより、逆入力ロッククラッチ２０は、出力シャフト３１の回転運動を操作プーリー５０に伝達することなく遮断する。
【００６１】
次に、昇降式物干し１の物干し竿４を巻き上げる場合について説明する。
【００６２】
予め設定された物干し竿４の上昇に対応した引き出し向きにユーザが操作紐５を引き出すと、操作プーリー５０及びインプットカップリング２１が操作紐５の引き出し方向に応じて上昇方向（図２では、軸方向Ａの入力側から視て時計回り）に回転する。
【００６３】
インプットカップリング２１が上昇方向に回転すると、レバー部２１ｂが第１のトーションスプリング２３の係止部２３ａに当接して第１のトーションスプリング２３を弛緩させながら、アウトプットカップリング２２を上昇方向に回転させる。
【００６４】
アウトプットカップリング２２が上昇方向に回転すると、出力シャフト３１が連動して回転し、端部が出力シャフト３１に嵌着された第２のトーションスプリング３３は締着する。これにより、出力シャフト３１及び巻取りプーリー３２は連動して回転する。このようにして、操作紐５を介した上昇操作に応じて、物干し竿４を所望の位置まで上昇させることができる。
【００６５】
このようにして、本実施形態に係る昇降式物干し１は、逆入力ロッククラッチ２０が、操作プーリー５０の回転運動をアウトプットカップリング２２及び伝達機構３０に伝達する一方、アウトプットカップリング２２に接続された巻取りプーリー３２の回転運動が操作プーリー５０に伝達することを遮断し、さらに、伝達機構３０が、アウトプットカップリング２２の回転方向に応じてアウトプットカップリング２２及び巻取りプーリー３２の接続又は切り離しを切換可能であることにより、巻取りプーリー３２が操作プーリー５０に対してフリーで回転可能なため、ユーザが意図するように物干し竿４を昇降させることができる。
【００６６】
なお、逆入力ロッククラッチ２０と伝達機構３０の接続関係は、上述したように直接接続されたものに限定されず、逆入力ロッククラッチ２０と伝達機構３０との間に何らかの機構が介在して間接的に接続されたものであっても構わない。
【００６７】
また、逆入力ロッククラッチ２０と操作プーリー５０の接続関係は、上述したように直接接続されたものに限定されず、逆入力ロッククラッチ２０と操作プーリー５０との間に何らかの機構が介在して間接的に接続されたものであっても構わない。
【００６８】
また、伝達機構３０と巻取りプーリー３２の接続関係は、上述したように直接接続されたものに限定されず、伝達機構３０と巻取りプーリー３２との間に何らかの機構が介在して間接的に接続されたものであっても構わない。
【００６９】
さらに、本発明は、上記以外にも本発明の精神を逸脱しない限り種々の改変を成すことができ、そして、本発明が該改変されたものに及ぶことは当然である。
【００７０】
本発明に係る駆動装置は、上述した昇降式物干しの他にも、例えばブラインド等にも適用可能である。
【符号の説明】
【００７１】
１      ・・・昇降式物干し
３      ・・・吊り下げ紐
４      ・・・物干し竿
５      ・・・操作紐
１０    ・・・駆動装置
２０    ・・・逆入力ロッククラッチ
２１    ・・・インプットカップリング
２１ａ  ・・・凸部
２１ｂ  ・・・レバー部
２２    ・・・アウトプットカップリング（出力部）
２２ａ  ・・・係合孔
２２ｂ  ・・・第１の壁部
２２ｃ  ・・・被係止部
２３    ・・・第１のトーションスプリング
２３ａ、２３ｂ  ・・・係止部
２４    ・・・クラッチハウジング
２４ａ  ・・・ボス部
３０    ・・・伝達機構
３１    ・・・出力シャフト
３１ａ  ・・・フランジ部
３１ｂ  ・・・嵌着部
３１ｃ  ・・・係合部
３２    ・・・巻取りプーリー（出力部材）
３２ａ  ・・・外周壁部
３２ｂ  ・・・内周壁部
３２ｃ  ・・・第１の底部
３３    ・・・第２のトーションスプリング
３４    ・・・ハウジング
３４ａ  ・・・第２の底部
３４ｂ  ・・・クラッチ収容部
３４ｃ  ・・・プーリー収容部
３４ｄ  ・・・段付き孔
３４ｅ  ・・・段部
３４ｆ  ・・・取出口
３４ｇ  ・・・ネジ孔
３４ｈ  ・・・ネジ孔
４０    ・・・カバー
４１    ・・・スリーブ
４２    ・・・入力側カバー片
４２ａ  ・・・側板
４２ｂ  ・・・挿通孔
４３    ・・・出力側カバー片
４３ｂ  ・・・出力側端部カバー片
４４    ・・・スペーサ
５０    ・・・操作プーリー（入力部材）
５１    ・・・規制部
５２    ・・・凹部
５３    ・・・入力側端部カバー片
５４    ・・・第２の壁部
Ａ      ・・・軸方向
Ｃ      ・・・周方向
【図１】
2020041620.tif 000003
【図２】
2020041620.tif 000004
【図３】
2020041620.tif 000005
【図４】
2020041620.tif 000006
【図５】
2020041620.tif 000007
【図６】
2020041620.tif 000008
【図７】
2020041620.tif 000009
【図８】
2020041620.tif 000010
【図９】
2020041620.tif 000011
【図１０】
2020041620.tif 000012
【図１１】
2020041620.tif 000013